【事件の表示】
　特願２０００−１１６４９７「データ表示方法」拒絶査定に対する審判事件［平成１２年１２月　８日出願公開、特開２０００−３４１６６４］について、次のとおり審決する。
【結　論】
　
　本件審判の請求は、成り立たない。
【理　由】
　
１．手続の経緯・本願発明　
　本願は、平成５年４月２０日に出願した特願平５−１１６４８０号の一部を平成１２年４月１８日に新たな特許出願としたものであって、その請求項１に係る発明は、平成１５年４月２２日付け手続補正書により補正された明細書の特許請求の範囲の請求項１に記載されたとおりの次のもの（以下、本願発明という。）である。　
「【請求項１】データ伝送装置から伝送回線を介して伝送されてきたデータに関する情報を表示させるデータ表示方法であって、　
　前記データ伝送装置から伝送されてくる、複数の見出し文を有する見出しデータと、前記複数の見出し文にそれぞれ関連付けられた複数の詳細文を有する詳細データとを受信する受信ステップと、　
　前記受信ステップで受信した前記見出しデータおよび前記詳細データを、着脱可能な記録媒体に記録する記録ステップと、　
　前記見出しデータが有する複数の見出し文を含む見出し画面、または前記詳細データが有する少なくとも１つの詳細文を含む詳細画面を表示させるステップと　
　を備え、
　前記見出しデータは、前記見出し画面において表示される前記見出し文の表示部分をユーザがクリックすることで、前記複数の見出し文の中から選択された見出し文に関連付けられた前記詳細文にアクセスすることを可能とするアクセス情報を有し、　
　前記見出し画面に表示された複数の見出し文のうちのいずれかが選択されたとき、前記アクセス情報に基づき、その選択された見出し文に関連付けられた前記詳細文にアクセスし、その詳細文を含む前記詳細画面を表示させるとともに、　
　前記着脱可能な記録媒体をポータブル装置に装着させた際、前記見出しデータが有する複数の見出し文を含む見出し画面が表示され、その複数の見出し文から選択された見出し文に関係付けられた前記詳細文が表示される　
　ことを特徴とするデータ表示方法。」　
　
２．引用例　
　これに対して、当審において平成１５年２月２１日付けで通知した拒絶の理由に引用された妹尾宏、吉村俊郎、加井謙二郎、磯部忠著、「高機能テレキスト（ＰＲＥＳＥＮＴ）の伝送法の一検討」、テレビジョン学会技術報告Ｖｏｌ．１６　Ｎｏ．７１、１〜６頁、社団法人テレビジョン学会、１９９２年１０月２９日発行（以下、引用例という。）には、　
「１．はじめに　
　衛星放送では、これまでの映像・音声による放送だけではなく、音声チャネル内の空き領域であるデータチャネルを利用して・・・静止画像データ、文字データなどの様々な形式でディジタルデータを放送することができる。このように、ディジタルデータを放送し受信機で情報を表示あるいは加工などの処理が可能な放送のことを総称してデータ放送と呼ぶ。」（・・・は引用箇所の省略を意味し、以下、同様とする。）（１頁左下欄１行〜１１行）、　
「本稿では、大量な番組のなかから得たい番組を容易に選択するために使用するインデックスデータを自動生成するためのインデキシング手法、受信機の表示能力に応じて文字情報・幾何学図形・静止画などのマルティメディア情報を編集表示しインタラクティブな画面進行を制御するための符号化データの階層構造化、および高機能テレテキストデータの伝送法について検討結果を述べる。」（１頁右下欄４行〜１２行）、　
「２．高機能テレテキストの特長　
　データ放送の一つの伝送路として、現行テレビジョン衛星放送の・・・データチャネルを利用することができる。」（１頁右下欄１３行〜１６行）、
「（１）（使用可能な文字コードの制約により、丸付き数字をこのように表す。）「メニュー表」や「キーワード表」をインデックスデータとして放送することにより、受信者側における番組選択などのユーザ・インターフェースを多様化・簡易化することができる。」（２頁左欄３５行〜３８行）、　
「３．インデキシングの検討　
　・・・例えば、「タイトル表」や「ジャンル表」や「キーワード表」をディスプレイ上に表示し、各表からカーソルの移動やマウスなどによる簡単なポインティング操作で番組やキーワードを選択できるようにする。」（２頁右欄１１行〜２９行）、　
「・・・　
　放送局側では、各番組に「番組番号」・・・を付し、さらに「タイトル」を付して番組データを制作する。「タイトル」は番組内容を短い見出し語で表したものである。・・・　
　インデックスデータとして放送するものは「メニュー表」・・・である。「メニュー表」は、これまでの放送と同様に放送局側が番組を編成したものであり、例えば「今日の主なニュース」を構成する番組番号とその「タイトル」をテーブル化したものである。・・・　
　受信側ではインデックスデータを利用して、簡単に、しかも多彩な方法で番組を選択できる。受動的に番組を見たい場合は「メニュー表」・・・を利用する。・・・」（２頁右欄３０行〜３頁左下欄２０行）、　
「一方、ＮＨＫニュースの内容は、本文内容を見出し語で表したタイトル、本文内容を要約した概要、および本文で構成されている。」（４頁左下欄３１行〜右下欄３行）、　
「５．伝送法の検討　
　・・・　
　番組は番組ヘッダデータと番組データで成る。番組データヘッダでは、番組番号・・・を示す。・・・番組データでは各メディアをデータユニットで伝送する。・・・レイアウト構造および論理構造式を示すデータをレイアウト構造、論理構造データユニットで伝送する。　
　インデックスはインデックスデータヘッダとインデックスデータから成る。・・・インデックスデータでは、メニューデータユニットにより各種メニュー別に番組番号とタイトルを対にしたメニュー表を、・・・伝送する。」（６頁左下欄）と記載されている。　
　上記の記載、及び、引用例３頁Ｆｉｇ．１、６頁Ｆｉｇ．３の記載を勘案すると、引用例には、　
　放送局から伝送路を介して伝送されてきたデータに関する情報を表示させるデータ表示方法であって、　
　上記放送局から伝送されてくる、複数のタイトルを有するインデックスデータと、上記複数のタイトルにそれぞれ関連付けられた複数の本文を有する番組データとを受信し、　
　上記インデックスデータが有する複数のタイトルを含むメニュー表、または上記番組データが有する少なくとも１つの本文を含む番組を表示させるデータ表示方法であって、　
　上記インデックスデータは、上記メニュー表において表示される上記タイトルの表示部分を受信者がクリックすることで、上記複数のタイトルの中から選択されたタイトルに関連付けられた上記本文にアクセスすることを可能とする情報であって、　
　上記メニュー表に表示された複数のタイトルのうちのいずれかが選択されたとき、上記インデックスデータに基づき、その選択されたタイトルに関連付けられた上記本文を含む上記番組を表示させるデータ表示方法（以下、引用発明という。）　
が記載されている。　
　
３．対比　
　本願発明と引用発明を対比する。　
　まず、引用発明においても放送局から伝送路を介してデータを伝送している以上、放送局が上記の伝送をするための所定の伝送装置を備えていることは明らかであり、したがって、その点で引用発明の「放送局」は本願発明の「データ伝送装置」に対応する。　
　又、引用発明のタイトルは、Ｆｉｇ．１に図示されたタイトル表の「ＰＫＯ法案成立に全力を・・・」、「ＪＲ南武線事故・・・」、「宮沢首相会談へ・・・」、・・・という記載から、本文の内容を見出すのに便利なように設けられた表題としての文であると認められ、したがって、引用発明の「タイトル」、「本文」は、それぞれ本願発明の「見出し文」、「詳細文」に相当する。　
　そうすると、引用発明の「複数のタイトルを有するインデックスデータ」、「複数のタイトルにそれぞれ関連付けられた複数の本文を有する番組データ」、「インデックスデータが有する複数のタイトルを含むメニュー表」、「番組データが有する少なくとも１つの本文を含む番組」は、それぞれ本願発明の「複数の見出し文を有する見出しデータ」、「複数の見出し文にそれぞれ関連付けられた複数の詳細文を有する詳細データ」、「見出しデータが有する複数の見出し文を含む見出し画面」、「詳細データが有する少なくとも１つの詳細文を含む詳細画面」に相当する。　
　又、引用発明の「受信者」は、本願発明の「ユーザ」に対応する。　
　そうすると、引用発明の「上記インデックスデータは、上記メニュー表において表示される上記タイトルの表示部分を受信者がクリックすることで、上記複数のタイトルの中から選択されたタイトルに関連付けられた上記本文にアクセスすることを可能とする情報であって、　
　上記メニュー表に表示された複数のタイトルのうちのいずれかが選択されたとき、上記インデックスデータに基づき、その選択されたタイトルに関連付けられた上記本文を含む上記番組を表示させる」は、本願発明の「前記見出しデータは、前記見出し画面において表示される前記見出し文の表示部分をユーザがクリックすることで、前記複数の見出し文の中から選択された見出し文に関連付けられた前記詳細文にアクセスすることを可能とするアクセス情報を有し、　
　前記見出し画面に表示された複数の見出し文のうちのいずれかが選択されたとき、前記アクセス情報に基づき、その選択された見出し文に関連付けられた前記詳細文にアクセスし、その詳細文を含む前記詳細画面を表示させる」に対応する。　
　したがって、本願発明と引用発明は、　
　データ伝送装置から伝送回線を介して伝送されてきたデータに関する情報を表示させるデータ表示方法であって、　
　前記データ伝送装置から伝送されてくる、複数の見出し文を有する見出しデータと、前記複数の見出し文にそれぞれ関連付けられた複数の詳細文を有する詳細データとを受信する受信ステップと、　
　前記見出しデータが有する複数の見出し文を含む見出し画面、または前記詳細データが有する少なくとも１つの詳細文を含む詳細画面を表示させるステップと　
　を備え、
　前記見出しデータは、前記見出し画面において表示される前記見出し文の表示部分をユーザがクリックすることで、前記複数の見出し文の中から選択された見出し文に関連付けられた前記詳細文にアクセスすることを可能とするアクセス情報を有し、　
　前記見出し画面に表示された複数の見出し文のうちのいずれかが選択されたとき、前記アクセス情報に基づき、その選択された見出し文に関連付けられた前記詳細文にアクセスし、その詳細文を含む前記詳細画面を表示させるデータ表示方法　
である点で一致し、　
［相違点］　
　本願発明が、前記受信ステップで受信した前記見出しデータおよび前記詳細データを、着脱可能な記録媒体に記録する記録ステップを備え、前記着脱可能な記録媒体をポータブル装置に装着させた際、前記見出しデータが有する複数の見出し文を含む見出し画面が表示され、その複数の見出し文から選択された見出し文に関係付けられた前記詳細文が表示されるのに対して、引用発明が、そのような構成を備えていない点　
で相違している。　
　
４．相違点についての判断　
　一般に、文書、画像などのデータを受信して、受信したデータをフレキシブルディスクなどの着脱可能な記録媒体に記録して、その記録媒体を携帯可能な再生装置であるところのポータブル装置に装着して上記データを再生することは、周知の技術であると認められる。（例えば、特開平３−１０３９８４号公報参照。）　
　したがって、上記周知の技術を参酌して、引用発明において、受信機について前記受信ステップで受信した前記見出しデータおよび前記詳細データを、着脱可能な記録媒体に記録する記録ステップを備えるようにすること、又、前記着脱可能な記録媒体をポータブル装置に装着させた際、前記見出しデータが有する複数の見出し文を含む見出し画面が表示され、その複数の見出し文から選択された見出し文に関係付けられた前記詳細文が表示されるようにすることは、当業者が容易になし得るものである。　
　そして、本願発明の構成によってもたらされる効果も、引用例に記載された発明及び周知の技術から当業者ならば容易に予測することができる程度のものであって、格別のものとはいえない。　
　
５．むすび　
　したがって、本願発明は、引用例に記載された発明及び周知の技術に基づき、当業者が容易に発明をすることができたものであるので、特許法第２９条第２項の規定により特許を受けることができない。　
　
　よって、結論のとおり審決する。